(57)【特許請求の範囲】
【請求項１】
平板状の光量調整用フィルタ部材と、凹形状の開口を持った平板状のフィルタ支持部材とからなり、
前記フィルタ部材は少なくとも前記フィルタ支持部材の凹形状開口の最深部を含む凹部開口の一部を覆いかつ開口端から所定の距離の位置で該フィルタ支持部材に接着剤により貼着され、
前記フィルタ部材は前記フィルタ支持部材開口側部及び前記開口の一部を覆うフィルタ部と接着剤により貼着される貼着部とを有し、前記フィルタ部と貼着部とが前記フィルタ部の前記開口部を覆う両側部分から貼着部までを、略Ｖ字または略Ｕ字形状でつなげている形状を成すことを特徴とする絞り部材。
【請求項２】
前記光量調整用フィルタ部材は少なくとも２枚以上重ねられ前記フィルタ支持部材に貼着されてなる請求項１に記載の絞り部材。
【請求項３】
光量調整用の絞り部材を備えたカメラの絞り装置において、
前記絞り部材は、
平板状の光量調整用フィルタ部材と、凹形状の開口を持った平板状のフィルタ支持部材とからなり、
前記フィルタ部材は少なくとも前記フィルタ支持部材の凹形状開口の最深部を含む凹部開口の一部を覆いかつ開口端から所定の距離の位置で該フィルタ支持部材に接着剤により貼着され、
前記フィルタ部材は前記フィルタ支持部材開口側部及び前記開口の一部を覆うフィルタ部と接着剤により貼着される貼着部とを有し、前記フィルタ部と貼着部とが前記フィルタ部の前記開口部を覆う両側部分から貼着部までを、略Ｖ字または略Ｕ字形状でつなげている形状を成すことを特徴とするカメラの絞り装置。
【請求項４】
前記光量調整用フィルタ部材は少なくとも２枚以上重ねられ前記フィルタ支持部材に貼着されてなる請求項３に記載のカメラの絞り装置。
【発明の詳細な説明】
【０００１】
【発明の属する技術分野】
本発明は、ビデオカメラ、スチルカメラ等に使用される絞り装置の光量調整用フィルタを具備したものに関するものである。
【０００２】
【従来の技術】
従来、ビデオカメラ、スチルカメラ等に使用される絞り装置では、小絞りの際における開閉部材のハンチングや回折現象よる解像力の低下等の難点を防止するために、光量調整用フィルタ部材、例えばＮＤフィルタ（Ｎｅｕｔｒａｌ  Ｄｅｎｓｉｔｙ  Ｆｉｌｔｅｒ）が配設されていることは周知である。
【０００３】
また、単に一様な光透過率を有する部材を配設しただけでは、小絞りの程度が若干改善されるのみで、小絞り時における絞りの変化量に対する入射光量の変化割合との関係は余り変わらず、開閉部材のハンチングその他の難点が残り、ＮＤフィルタの光透過率を、段階的に変化させたものも提案されている。
【０００４】
カメラの絞り装置において、前記光量調整用フィルタ部材は前記開閉部材に対し貼着されており、貼着手段は実公昭６３−２３６９７号公報でも開示されている。
【０００５】
また、実開平５−５５１３２号公報では、複数枚のシート状素材を重ね合わせて構成した複数段の光透過率を有する光量調整用フィルタ部材を一枚の開閉部材に貼着したものが開示されている。
【０００６】
【発明が解決しようとする課題】
このような貼着手段においては、光量調節用フィルタ部材と開閉部材の密着面や、複数枚に重ねられたシート状の光量調節用フィルタ部材どうしの密着面に、接着剤が毛管現象により浸透する現象が起きていた。
【０００７】
この浸透した部分が過多であると、図１０または図１２のフィルタ部材１２０の貼着においてそれぞれ図１１または図１３に示すように接着剤Ｂが開閉部材Ｅ１の絞り開口８０まではみ出てしまい、開口部端面まで染み出した接着剤による不必要な光の反射や、複数枚に重ねられた光量調節用フィルタ部材間で絞り開口内に染み出した接着剤による光学的な屈折など、光学的機能を損ねる原因となった。
【０００８】
特に、複数枚に重ねられた光量調整用フィルタ部材どうしの密着面は、光沢を無くす為に表面に細かい凹凸を設けた開閉部材よりも、表面が平滑で密着度合いが高くなる為に毛管現象による浸透が顕著であった。
【０００９】
このような不具合を無くす為に、従来は接着剤の塗布量や粘度を均一に保たなければならず、管理が困難であり、手作業での接着では熟練を必要としていた。
（図１４参照）
本発明の目的は、開閉部材のハンチングその他の不具合を防止するため、単体または複数の光量調整用フィルタ部材を接着剤で貼着する際、接着剤が浸透により絞り開口部まではみ出てしまう事無く、接着剤の管理が容易で、手作業でも熟練を要さずに貼着できる手段を用いたカメラの絞り装置を提供することを目的としている。
【００１０】
【課題を解決するための手段】
上記目的を達成するために、本発明は単体または複数に重ねられた平板状の光量調整用フィルタ部材と、凹形状の開口を持った平板状のフィルタ支持部材とからなり、前記フィルタ部材は少なくとも前記フィルタ支持部材の凹形状開口の最深部を含む凹部開口の一部を覆いかつ開口端から所定の距離の位置で該フィルタ支持部材に接着剤により貼着され、前記フィルタ部材は前記フィルタ支持部材開口側部及び前記開口の一部を覆うフィルタ部と接着剤により貼着される貼着部とを有し、前記フィルタ部と貼着部とが前記フィルタ部の前記開口部を覆う両側部分から貼着部までを、略Ｖ字または略Ｕ字形状でつなげている形状を成す絞り部材またはカメラの絞り装置である。
【００１１】
【作用】
以上の形状のフィルタ部材は、貼着部からの距離が大きくなることにより、接着剤の浸透を防いでいるものである。
【００１２】
【実施例】
以下、本発明の実施例について、図面を参照して説明する。
〔第１の実施例〕
図１及び図２は本発明による実施例のカメラの絞り装置をビデオカメラの絞り装置に適用したものの分解斜視図を示している。
【００１３】
図１のように絞り装置Ｅは羽根駆動部１０と、この羽根駆動部１０によって開閉駆動される絞り部５０とから構成されている。
【００１４】
絞り部５０は図２のように羽根駆動部１０を取り付ける地板５１と、第１の開閉部材例えば絞り羽根Ｅ１と、第２の開閉部材例えば絞り羽根Ｅ２と、地板５１の片面を覆い、この地板５１との間に絞り羽根Ｅ１，Ｅ２を摺動自在に挟持する押さえ板７０と、絞り羽根Ｅ１，Ｅ２と係合し、羽根駆動部１０の駆動力を伝える作動レバー９０と、作動レバー９０を常に一方向に偏倚付勢する付勢バネ９５とを備えている。
【００１５】
地板５１には図１のように、光路開口５２と、羽根駆動部１０の取り付け部５３と、この取り付け部５３に形成された幾つかの係合突起５５ａ，５５ｂ，５６ａ，５６ｂと、嵌着用のリブ５７ａ，５７ｂと、駆動軸貫通用の小孔５４と、リード線プリント板３８を保持するための係止突起５８ａ，５８ｂとが設けられている。
【００１６】
なお、光路開口５２には後述するＮＤフィルタ８９の移動を妨げないように逃げ部５２Ｎが形成されている。
【００１７】
更に地板５１には絞り羽根Ｅ１，Ｅ２が互いに摺接しないで移動できるように、これら絞り羽根Ｅ１，Ｅ２と摺動係合する係合ピン５９ａ，５９ｂや、絞り羽根Ｅ１，Ｅ２を浮かせるための突起６１ａ〜６１ｈなどが設けられている。
【００１８】
作動レバー９０には羽根駆動部１０の駆動軸を嵌着させる孔９１と、絞り羽根Ｅ１，Ｅ２と係合するピン部９２ａ，９２ｂとが設けられている。
【００１９】
絞り羽根Ｅ１は黒色ポリエステルの薄片などで形成され、図４のように光量を規制するための絞り開口形成部８０と、ピン部９２ｂと嵌合する小孔８２と、係合ピン５９ｂと係合する長穴８３とが設けられている。
【００２０】
一方、絞り羽根Ｅ２も黒色ポリエステルの薄片などで形成され、光量を規制するための絞り開口形成部８５と、ピン部９２ａと嵌合する小孔８７と、係合ピン５９ａと係合する長穴８８とが設けられている。なお、絞り開口形成部８５は絞り羽根Ｅ１の絞り開口形成部８０と共に、絞り開口Ｆを形成する。
【００２１】
そして、絞り羽根Ｅ１の絞り開口形成部８０の最深部には、光量調整用フィルタ部材例えばＮＤフィルタ（Ｎｅｕｔｒａｌ  Ｄｅｎｓｉｔｙ  Ｆｉｌｔｅｒ）８９が貼着されている。
【００２２】
押さえ板７０には光路開口７１と、作動レバー９０のピン部９２ａ，９２ｂが回動できるように形成された長穴７２ａ，７２ｂと、地板５１と結合する結合部７４ａ，７４ｂと、係合ピン５９ａ，５９ｂが臨む穴７５ａ，７５ｂと、絞り羽根Ｅ１，Ｅ２を浮かせるための突起６２ａ〜６２ｄとが設けられている。
【００２３】
なお、光路開口７１には絞り羽根Ｅ２にＮＤフィルタ８９に貼った場合にＮＤフィルタ８９の移動を妨げないために逃げ部７１Ｎが形成されている。
【００２４】
次に羽根駆動部１０の構成を説明する。
【００２５】
羽根駆動部１０は、図１のように中心部に回動自在に枢支された永久磁石体１１と、この永久磁石体１１を囲む結合側ボビン１４及びピン側ボビン２５と、図３のように両ボビン１４，２５に巻回された駆動コイル１３０Ａ及び制動コイル１３０Ｂと、両ボビン１４，２５の外周に嵌着して永久磁石体１１の磁気を導く中空円筒形の磁気回路部材（ヨーク）３５と、この磁気回路部材３５の端部を押える端板３６と、永久磁石体１１の回転角度位置を検出する磁気センサ３７を有し、この磁気センサ３７及び各コイル１３０Ａ，１３０Ｂに接続される導線プリント板３８とから構成されている。
【００２６】
永久磁石体１１は円筒形のマグネット１２と、このマグネット１２の円筒中心を貫通して固定された駆動軸１３とから構成され、ボビン１４とボビン２５との内部に回動自在に枢支されている。
【００２７】
ボビン２５の上部にはコイル１３０Ａ，１３０Ｂの線端を巻回する端子ピン２９ａ，２９ｂ，２９ｃ，２９ｄが設けられている。
【００２８】
そして磁気回路部材３５を嵌め込み、端板３６を被せ、しかる後、導線プリント板３８に形成された４個の小孔に端子ピン２９ａ，２９ｂ，２９ｃ，２９ｄを通しながら載せる。
【００２９】
最後に端子ピン２９ａ，２９ｂ，２９ｃ，２９ｄと導線プリント板３８とをハンダ等で結合することにより、羽根駆動部１０の組み立ては完了する。
【００３０】
この実施例におけるＮＤフィルタ８９は、絞り羽根Ｅ１の開口形成部８０の凹形状最深部に図５のように配置され、開口形成部の凹形状に沿った略Ｕ字形状で両側部から所定の距離の位置の貼着部までつなげている。
【００３１】
また、このＮＤフィルタ形状は貼着部から開口を覆う両側部を支える形状である為、ＮＤフィルタの支持強度の低下を最小減として、貼着部から開口までの距離が大きくしており、図９に示すように接着剤の浸透部分が開口形成部８０に達することを防止している。
【００３２】
また、前記ＮＤフィルタは、図６に示すように略Ｕ字形状の中央部が切断された形状であって、その端部を接着剤しても良く、また図７に示すような略Ｖ字形状でも良い。
〔第２の実施例〕
ＮＤフィルタは図８に示すように、複数枚のＮＤフィルタ材を重ねて貼着してもＮＤフィルタ間、およびＮＤフィルタと絞り羽根間のそれぞれの密着面での接着剤の浸透が開口部に達することを防止している。
〔その他の実施例〕
図は省略するが、本発明は前記実施例に限定されるものではなく、前記実施例で隣接する開閉部材同士を互いに相対的に逆方向へ移動して、開閉部材の絞り開口形成部により形成される開口の大きさを可変する絞り装置で、開口形成部に寄与しないフィルタ駆動部材への貼着にも適応できる。
【図面の簡単な説明】
【図１】本発明の第１の実施例にかかわるカメラの絞り装置の全体構造を示す分解斜視図である。
【図２】図１の絞り部の分解斜視図である。
【図３】図１の羽根駆動部の構造を示す分解斜視図である。
【図４】図２の押さえ板を排除して示した平面図である。
【図５】図２の光量調整用フィルタ部材と開閉部材の構成説明図である。
【図６】光量調整用フィルタ部材の他の例を示す説明図である。
【図７】光量調整用フィルタ部材の他の例を示す説明図である。
【図８】第２の実施例の説明図である。
【図９】本発明の接着剤が浸透する範囲を示す説明図である。
【図１０】従来事例の光量調整用フィルタ部材の説明図である。
【図１１】その接着剤が浸透する範囲を示す説明図である。
【図１２】従来事例の2枚重ねられた光量調整用フィルタ部材の説明図である。
【図１３】その接着剤が浸透する範囲を示す説明図である。
【図１４】手作業での接着の説明図である。
【符号の説明】
Ｂ  接着剤
Ｅ  カメラの絞り装置
Ｅ１  絞り羽根
８０  開口形成部
８９  光量調整部材（ＮＤフィルタ）（第１の実施例）
１１０  光量調整部材（ＮＤフィルタ）（第２の実施例）
【図１】
0003735272.tif 000002
【図２】
0003735272.tif 000003
【図３】
0003735272.tif 000004
【図４】
0003735272.tif 000005
【図５】
0003735272.tif 000006
【図６】
0003735272.tif 000007
【図７】
0003735272.tif 000008
【図８】
0003735272.tif 000009
【図９】
0003735272.tif 000010
【図１０】
0003735272.tif 000011
【図１１】
0003735272.tif 000012
【図１２】
0003735272.tif 000013
【図１３】
0003735272.tif 000014
【図１４】
0003735272.tif 000015